(57)【要約】【課題】本発明の課題は、校正情報が迅速に伝達できて、校正情報の内容が理解しやすい校正システムを提供することである。【解決手段】特殊な配置のドットが印刷された透明な印刷媒体、または、半透明な印刷媒体のドットを読み取った結果を含む電子ペンデータを保持する電子ペンと、前記ドットを読み取った結果を取得して、対応表を参照して、これに対応する座標値を選択して、座標データを作成する座標データ作成手段と、前記座標データの座標値を取得して、校正情報画像を生成する校正情報画像生成手段と、編集原稿識別情報の入力を受け付けて、編集データを参照して、これに対応する編集データを取得して、編集画像を生成する編集画像生成手段と、前記保持された校正情報画像と編集画像を表示する編集画面表示手段と、を備えることを特徴とするＤＴＰ校正システムである。【選択図】図１
2007249880.tif 000002
【特許請求の範囲】
【請求項１】
特殊な配置のドットが印刷された透明な印刷媒体、または、半透明な印刷媒体と、ドットを読み取る電子ペンと、を用いたＤＴＰ校正システムであって、
ドットを読み取った結果と、座標値を対応付けた対応表と、
編集原稿識別情報を含んだ編集データを記憶する記憶手段と、
ドットを読み取った結果を含む電子ペンデータを保持する電子ペンと、
対応表を参照して、前記ドットを読み取った結果を取得して、これに対応する座標値を選択して、これを含む座標データを作成する座標データ作成手段と、
前記座標データの座標値を取得して、校正情報画像を生成して、保持する校正情報画像生成手段と、
編集原稿識別情報の入力を受け付ける編集原稿識別情報入力手段と、
編集データの編集原稿識別情報を参照して、前記入力を受け付けた編集原稿識別情報と一致する編集原稿識別情報の編集データを取得して、編集画像を生成して、保持する編集画像生成手段と、
前記保持された校正情報画像と編集画像を表示する編集画面表示手段と、
を備えることを特徴とするＤＴＰ校正システム。
【請求項２】
前記電子ペンは、電子ペン識別情報とドットを読み取った結果とを含む電子ペンデータを保持して、
前記座標データ作成手段は、対応表を参照して、前記ドットを読み取った結果を取得して、これに対応する座標値を選択して、これと電子ペン識別情報とを含む座標データを作成して、
前記校正情報画像生成手段は、前記入力を受け付けた電子ペン識別情報と一致する電子ペン識別情報を持つ絶対座標値列を取得して、校正情報画像を生成して、保持する、
ことを特徴として、
電子ペン識別情報の入力を受け付ける電子ペン識別情報入力手段、
を備える請求項１に記載のＤＴＰ校正システム。
【請求項３】
前記記憶手段は、認証情報と対応表とを関連付けた認証データと、
ドットを読み取った結果と、座標値を対応付けた対応表と、
編集原稿識別情報を含んだ編集データを記憶して、
前記電子ペンは、認証情報とドットを読み取った結果とを含む電子ペンデータを保持して、
前記座標データ作成手段は、前記選択された対応表を参照して、前記ドットを読み取った結果を取得して、これに対応する座標値を選択して、これを含む座標データを作成する、
ことを特徴として、
前記保持された認証情報を取得して、前記認証データを参照して、認証する電子ペンデータ認証手段と、
前記認証データを参照して、前記保持された認証情報に対応付けされた対応表を選択する対応表選択手段と、
を備える請求項１、または、請求項２に記載のＤＴＰ校正システム。
【請求項４】
特殊な配置のドットが印刷された透明な印刷媒体、または、半透明な印刷媒体と、ドットを読み取る電子ペンと、を用いたＤＴＰ校正方法であって、
ドットを読み取った結果を含む電子ペンデータと、座標値を対応付けた対応表と、編集原稿識別情報を含んだ編集データと、を用いたＤＴＰ校正方法であって、
電子ペンが保持するドットを読み取った結果を取得して、前記対応表を参照して、これに対応する座標値を選択して、これを含む座標データを作成する座標データ作成ステップと、
前記作成された座標データから、校正情報画像を生成して、保持する校正情報画像生成ステップと、
編集原稿識別情報の入力を受け付ける編集原稿識別情報入力ステップと、
編集データの編集原稿識別情報を参照して、前記入力を受け付けた編集原稿識別情報と一致する編集原稿識別情報の編集データを取得して、編集画像を生成して、保持する編集画像生成ステップと、
前記保持された校正情報画像と編集画像を表示する編集画面表示ステップと、
を含んだ手順でなされることを特徴とする校正方法。
【請求項５】
前記電子ペンは、電子ペン識別情報とドットを読み取った結果とを含む電子ペンデータを保持する、ＤＴＰ校正方法であって、
前記座標データ作成ステップは、対応表を参照して、前記ドットを読み取った結果を取得して、これに対応する座標値を選択して、これと電子ペン識別情報とを含む座標データを作成して、
前記校正情報画像生成ステップは、前記入力を受け付けた電子ペン識別情報と一致する電子ペン識別情報を持つ絶対座標値列を取得して、校正情報画像を生成して、保持する、
ことを特徴として、
電子ペン識別情報の入力を受け付ける電子ペン識別情報入力ステップ、
を含んだ手順でなされることを特徴とする請求項４に記載の校正方法。
【請求項６】
前記電子ペンは、認証情報とドットを読み取った結果とを含む電子ペンデータを保持する、ＤＴＰ校正方法であって、
前記座標データ作成ステップは、前記選択された対応表を参照して、前記ドットを読み取った結果を取得して、これに対応する座標値を選択して、これを含む座標データを作成する、
ことを特徴として、
前記保持された認証情報を取得して、前記認証データを参照して、認証する電子ペンデータ認証ステップと、
前記認証データを参照して、前記保持された認証情報に対応付けされた対応表を選択する対応表選択ステップと、
を含んだ手順でなされることを特徴とする請求項４、または、請求項５に記載の校正方法。
【請求項７】
電子ペンと、座標サーバ装置と、編集装置と、がネットワーク接続されて、構成される校正システムであって、
前記電子ペンは、
特殊な配置のドットの配置形状を符号化したペン先位置コードのコード列を含む電子ペンデータを記憶する記憶手段と、
ドットを撮像してドット画像データを所定のメモリに記録するドット撮像手段と、
所定のメモリに記録されているドット画像データを取得して、ペン先位置コードと認証情報を作成して保持するドット符号化手段と、
前記保持されたペン先位置コードを取得して、電子ペンデータを作成する電子ペンデータ作成手段と、
電子ペンデータを送信する電子ペンデータ送信手段と、
を備える電子ペンであって、
前記座標サーバ装置は、
対応表を特定する情報と、絶対座標値を対応付けたペン先位置コードと、を含む対応表と、
電子ペン識別情報を対応付けた絶対座標値列を含む座標データと、
を記憶する記憶手段と、
電子ペンデータを受信する電子ペンデータ受信手段と、
前記受信した電子ペンデータのペン先位置コード列のペン先位置コードを取得して、前記対応表を参照して、これに対応する絶対座標値を取得して、保持する座標値取得手段と、
前記保持された絶対座標値を取得して、これを含む座標データを作成する座標データ作成手段と、
前記座標データを送信する座標データ送信手段と、
を備えたサーバ装置であって、
前記編集装置は、
編集原稿識別情報を含んだ編集データを記憶する記憶手段と、
座標データを受信する座標データ受信手段と、
前記受信した座標データの絶対座標値列を取得して、校正情報画像を生成して、保持する校正情報画像生成手段と、
編集原稿識別情報の入力を受け付ける編集原稿識別情報入力手段と、
前記入力を受け付けた編集原稿識別情報をキーにして、編集データの編集原稿識別情報を参照して、前記キーと一致する編集原稿識別情報の編集データを取得して、編集画像を生成して、保持する編集画像生成手段と、
前記保持された校正情報画像と編集画像を表示する編集画面表示手段と、
を備える編集装置である、
ことを特徴とする校正システム。
【請求項８】
前記電子ペンは、
前記記憶手段が、特殊な配置のドットの配置形状を符号化したペン先位置コードのコード列と電子ペン識別情報を含む電子ペンデータを記憶する、
ことを特徴するペンであって、
前記電子ペンデータ作成手段が、前記保持されたペン先位置コードと電子ペン識別情報とを取得して、ペン先位置コード列と認証情報を含む電子ペンデータを作成する、
ことを特徴とする電子ペンであって、
前記座標サーバ装置は、
前記記憶手段が、ペン先位置コードと絶対座標値とを対応付けた対応表と、
電子ペン識別情報を対応付けた絶対座標値列を含む座標データと、
を記憶して、
座標データ作成手段が、保持された絶対座標値を取得して、前記受信した電子ペンデータの電子ペン識別情報を対応付けた絶対座標値列を含む座標データを作成する、
ことを特徴とするサーバ装置であって、
前記編集装置は、
校正情報画像生成手段が、前記入力を受け付けた電子ペン識別情報をキーにして、前記受信した座標データの電子ペン識別情報を参照して、前記キーと一致する電子ペン識別情報に対応付けられた絶対座標値列を取得して、校正情報画像を生成して、保持する、
ことを特徴として、
電子ペン識別情報の入力を受け付ける電子ペン識別情報入力手段、
を備える編集装置である、
ことを特徴とする請求項７に記載の校正システム。
【請求項９】
前記電子ペンは、
記憶手段が、特殊な配置のドットの配置形状を符号化したペン先位置コードのコード列と認証情報とを含む電子ペンデータを記憶して、
前記電子ペンデータ作成手段が、前記保持されたペン先位置コードと認証情報とを取得して、認証情報とペン先位置コード列とを含む電子ペンデータを作成する
ことを特徴とする電子ペンであって、
前記座標サーバ装置は、
前記記憶手段が、認証情報と対応表を特定する情報とを対応付けた認証データと、
対応表を特定する情報と、絶対座標値を対応付けたペン先位置コードと、を含む対応表と、
電子ペン識別情報を対応付けた絶対座標値列を含む座標データと、
を記憶して、
前記座標値取得手段が、前記受信した電子ペンデータのペン先位置コード列のペン先位置コードを取得して、前記選択された対応表を参照して、これに対応する絶対座標値を取得して、保持する、
ことを特徴として、
前記受信した電子ペンデータの認証情報を取得して、前記認証データを参照して、認証する電子ペンデータ認証手段と、
前記認証データを参照して、前記受信した電子ペンデータの認証情報に関連付けされた対応表を特定する情報を取得して、前記記憶された対応表から対応表を選択する対応表選択手段と、
を備えたサーバ装置である、
ことを特徴とする請求項７、または、請求項８に記載の校正システム。
【請求項１０】
電子ペンと、中継端末装置と、認証サーバ装置と、座標サーバ装置と、編集装置と、がネットワークデータ接続されて、構成される校正システムであって、
特殊な配置のドットの配置形状を符号化したペン先位置コードのコード列と認証情報とを含む電子ペンデータと、
を記憶する記憶手段と、
ドットを撮像してドット画像データを所定のメモリに記録するドット撮像手段と、
所定のメモリに記録されているドット画像データを取得して、ペン先位置コードと認証情報を作成して保持するドット符号化手段と、
前記保持されたペン先位置コードと認証情報とを取得して、前記取得したペン先位置コードからコード列を生成して、これらから電子ペンデータを作成する電子ペンデータ作成手段と、
電子ペンデータを送信する電子ペンデータ送信手段と、
を備える電子ペンであって、
前記中継端末装置は、
電子ペンデータを受信して、認証情報を送信する認証情報送信手段と、
対応表を特定する情報を受信する対応表特定情報受信手段と、
対応表を特定する情報を用いて、電子ペンデータを送信する電子ペンデータ転送手段と、
を備える端末装置であって、
前記認証サーバ装置は、
認証情報と対応表を特定する情報とを関連付けた認証データ、
を記憶する記憶手段と、
認証情報を受信する認証情報受信手段と、
前記受信した認証情報を取得して、前記認証データを参照して、認証する電子ペンデータ認証手段と、
前記認証データを参照して、前記受信した認証情報に関連付けされた対応表を特定する情報を取得する対応表特定情報取得手段と、
対応表を特定する情報を送信する対応表特定情報送信手段と、
を備えるサーバ装置であって、
前記座標サーバ装置は、
対応表を特定する情報と、絶対座標値を対応付けたペン先位置コードと、を含む対応表と、
電子ペン識別情報を対応付けた絶対座標値列を含む座標データと、
を記憶する記憶手段と、
対応表を特定する情報と電子ペンデータを受信する電子ペンデータ受信手段と、
前記対応表を参照して、前記受信した対応表を特定する情報に一致する対応表を特定する情報を持つ対応表を選択する対応表選択手段と、
前記受信した電子ペンデータのペン先位置コード列のペン先位置コードを取得して、前記選択された対応表を参照して、これに対応する絶対座標値を取得して、保持する座標値取得手段と、
前記保持された絶対座標値を取得して、前記受信した電子ペンデータの電子ペン識別情報を対応付けた絶対座標値列を含んだ座標データを作成する座標データ作成手段と、
前記座標データを送信する座標データ送信手段と、
を備えたサーバ装置であって、
前記編集装置は、
編集原稿識別情報を含んだ編集データを記憶する記憶手段と、
座標データを受信する座標データ受信手段と、
前記受信した座標データの絶対座標値列を取得して、校正情報画像を生成して、保持する校正情報画像生成手段と、
編集原稿識別情報の入力を受け付ける編集原稿識別情報入力手段と、
前記入力を受け付けた編集原稿識別情報をキーにして、編集データの編集原稿識別情報を参照して、前記キーと一致する編集原稿識別情報の編集データを取得して、編集画像を生成して、保持する編集画像生成手段と、
前記保持された校正情報画像と編集画像を表示する編集画面表示手段と、
を備える編集装置である、
ことを特徴とする校正システム。
【請求項１１】
前記電子ペンは、
前記記憶手段が、特殊な配置のドットの配置形状を符号化したペン先位置コードのコード列と認証情報と電子ペン識別情報を含む電子ペンデータと、
を記憶して、
前記電子ペンデータ作成手段が、前記保持されたペン先位置コードからコード列を生成して、これと、認証情報と電子ペン識別情報を含む電子ペンデータを作成する、
ことを特徴とする電子ペンであって、
前記座標サーバ装置は、
前記座標データ送信手段が、保持された絶対座標値を取得して、受信した電子ペンデータの電子ペン識別情報を対応付けた絶対座標値列を含んだ座標データを作成する、
ことを特徴とするサーバ装置であって、
前記編集装置は、
電子ペン識別情報の入力を受け付ける電子ペン識別情報入力手段と、
前記校正情報画像生成手段が、前記入力を受け付けた電子ペン識別情報をキーにして、受信した座標データの電子ペン識別情報を参照して、前記キーと一致する電子ペン識別情報に対応付けられた絶対座標値列を取得して、校正情報画像を生成して、保持する、
ことを特徴とする編集装置である、
ことを特徴とする請求項１０に記載の校正システム。
【請求項１２】
特殊な配置のドットが印刷された透明な印刷媒体、または、半透明な印刷媒体と、ドットを撮像して、電子ペンデータを生成する電子ペンと、を用いる校正方法であって、
特殊な配置のドットの配置形状を符号化したペン先位置コードのコード列を含む電子ペンデータと、
認証情報と対応表を特定する情報とを対応付けた認証データと、
対応表を特定する情報と、絶対座標値を対応付けたペン先位置コードと、を含む対応表と、
電子ペン識別情報を対応付けた絶対座標値列を含む座標データと、
編集原稿識別情報を含んだ編集データと、
を用いて、編集データを修正するための校正方法であって、
電子ペンデータを受信する電子ペンデータ受信ステップと、
前記受信した電子ペンデータのペン先位置コード列のペン先位置コードを取得して、前記対応表を参照して、これに対応する絶対座標値を取得して、保持する座標値取得ステップと、
前記保持された絶対座標値を取得して、絶対座標値列を含む座標データを作成する座標データ作成ステップと、
前記作成された座標データの絶対座標値列を取得して、校正情報画像を生成して、保持する校正情報画像生成ステップと、
編集原稿識別情報の入力を受け付ける編集原稿識別情報入力ステップと、
前記入力を受け付けた編集原稿識別情報をキーにして、編集データの編集原稿識別情報を参照して、前記キーと一致する編集原稿識別情報の編集データを取得して、編集画像を生成して、保持する編集画像生成ステップと、
前記保持された校正情報画像と編集画像を表示する編集画面表示ステップと、
を含んだ手順でなされることを特徴とする校正方法。
【請求項１３】
前記電子ペンデータが、特殊な配置のドットの配置形状を符号化したペン先位置コードのコード列と電子ペン識別情報を含んで、
電子ペン識別情報を対応付けた絶対座標値列を含む座標データ、
を用いて、編集データを修正するための校正方法であって、
前記座標データ作成ステップは、保持された絶対座標値を取得して、受信した電子ペンデータの電子ペン識別情報を対応付けた絶対座標値列を含む座標データを作成して、
前記校正情報画像生成ステップは、前記入力を受け付けた電子ペン識別情報をキーにして、前記作成された座標データの電子ペン識別情報を参照して、前記キーと一致する電子ペン識別情報に対応付けられた絶対座標値列を取得して、校正情報画像を生成して、保持する、
ことを特徴として、
電子ペン識別情報の入力を受け付ける電子ペン識別情報入力ステップ、
を含んだ手順でなされることを特徴とする請求項１２に記載の校正方法。
【請求項１４】
前記電子ペンデータは、特殊な配置のドットの配置形状を符号化したペン先位置コードのコード列と認証情報とを含んで、
認証情報と対応表を特定する情報とを対応付けた認証データ、
を用いて、編集データを修正するための校正方法であって、
前記座標値取得ステップは、前記受信した電子ペンデータのペン先位置コード列のペン先位置コードを取得して、前記選択された対応表を参照して、これに対応する絶対座標値を取得して、保持する、
ことを特徴として、
前記受信した電子ペンデータの認証情報を取得して、前記認証データを参照して、認証する電子ペンデータ認証ステップと、
前記認証データを参照して、前記受信した認証情報に関連付けされた対応表を特定する情報を取得して、前記記憶された対応表から対応表を選択する対応表選択ステップと、
を含んだ手順でなされることを特徴とする校正方法。
【請求項１５】
コンピュータに組込むことによって、コンピュータを、請求項１から、請求項３に記載のＤＴＰ校正システム、あるいは、請求項７から、請求項１１に記載の校正システム、として動作させるコンピュータプログラム。
【請求項１６】
請求項１５に記載のコンピュータプログラムを記録したコンピュータ読取り可能な記録媒体。
【発明の詳細な説明】
【技術分野】
【０００１】
本発明は、印刷校正システム、および、その方法に関するものである。
【０００２】
従来から、印刷物（たとえば、チラシやカタログ）の校正作業においては、複数の校正者に校正紙を回覧させて、それぞれの校正者が、校正紙に校正情報を記入している。次に、この校正情報が記入された校正紙は、印刷編集所に返送されて、編集者による修正作業（たとえば、ＤＴＰ修正）が行われている。
【背景技術】
【０００３】
たとえば、特許文献１では、校正情報が記入された校正紙を入手して、校正紙に記入された校正情報を画像処理にて抽出して、抽出した校正情報を編集装置に表示させて、編集データを修正させる技術が開示されている。（従来技術１）
【特許文献１】特開平９−２３１３９０号公報（３〜４ページ、図１−３、５）
【発明の開示】
【発明が解決しようとする課題】
【０００４】
ところで、従来技術１では、校正者は、校正情報が記入された校正紙を、印刷編集所に返送する間際まで、校正作業をおこなっており、時間に追われた作業を余儀なくされるという欠点があった。また、編集者は、校正情報が記入された校正紙を入手するまでは、編集データの修正作業に着手したくても、できないという欠点があった。さらに、編集者は、各校正者の校正情報の表示が、編集装置にまとめて表示されるために、校正指示の内容を理解し難いという問題点があった。
【０００５】
本発明はこのような従来技術を考慮してなされたものであって、本発明の課題は、校正情報が迅速に伝達できて、校正情報の内容が理解しやすい校正システムを提供することである。
【課題を解決するための手段】
【０００６】
本発明は、以下のような解決手段により、前記課題を解決する。すなわち、請求項１の発明は、特殊な配置のドットが印刷された透明な印刷媒体、または、半透明な印刷媒体と、ドットを読み取る電子ペンと、を用いたＤＴＰ校正システムであって、ドットを読み取った結果と、座標値を対応付けた対応表と、編集原稿識別情報を含んだ編集データを記憶する記憶手段と、ドットを読み取った結果を含む電子ペンデータを保持する電子ペンと、対応表を参照して、前記ドットを読み取った結果を取得して、これに対応する座標値を選択して、これを含む座標データを作成する座標データ作成手段と、前記座標データの座標値を取得して、校正情報画像を生成して、保持する校正情報画像生成手段と、編集原稿識別情報の入力を受け付ける編集原稿識別情報入力手段と、編集データの編集原稿識別情報を参照して、前記入力を受け付けた編集原稿識別情報と一致する編集原稿識別情報の編集データを取得して、編集画像を生成して、保持する編集画像生成手段と、前記保持された校正情報画像と編集画像を表示する編集画面表示手段と、を備えることを特徴とするＤＴＰ校正システムである。
【０００７】
ここで、特殊な配置のドット（たとえば、アノト（登録商標）方式のドット）が印刷された校正記入紙に、校正者が校正情報を記入することによって、記入された校正情報が、印刷編集者に、迅速に、伝達できる。
【０００８】
請求項２の発明は、前記電子ペンは、電子ペン識別情報とドットを読み取った結果とを含む電子ペンデータを保持して、前記座標データ作成手段は、対応表を参照して、前記ドットを読み取った結果を取得して、これに対応する座標値を選択して、これと電子ペン識別情報とを含む座標データを作成して、前記校正情報画像生成手段は、前記入力を受け付けた電子ペン識別情報と一致する電子ペン識別情報を持つ絶対座標値列を取得して、校正情報画像を生成して、保持する、ことを特徴として、電子ペン識別情報の入力を受け付ける電子ペン識別情報入力手段、を備える請求項１に記載のＤＴＰ校正システムである。
【０００９】
ここで、編集の修正においては、電子ペン識別情報（たとえば、ペンＩＤ）を利用して、各校正者の校正情報を区別できるので、たとえば、校正者ごとに別々に表示したり、校正者ごとに色分けして表示したり、することで、校正指示の内容が理解しやすくなる。
【００１０】
請求項３の発明は、前記記憶手段は、認証情報と対応表とを関連付けた認証データ、ドットを読み取った結果と、座標値を対応付けた対応表と、編集原稿識別情報を含んだ編集データを記憶して、前記電子ペンは、認証情報とドットを読み取った結果とを含む電子ペンデータを保持して、前記座標データ作成手段は、前記選択された対応表を参照して、前記ドットを読み取った結果を取得して、これに対応する座標値を選択して、これを含む座標データを作成する、ことを特徴として、前記保持された認証情報を取得して、前記認証データを参照して、認証する電子ペンデータ認証手段と、前記認証データを参照して、前記保持された認証情報に対応付けされた対応表を選択する対応表選択手段と、を備える請求項１、または、請求項２に記載のＤＴＰ校正システムである。
【００１１】
ここで、認証情報（認証ＩＤ）を用いることによって、使用する用紙の様式に応じて、対応表を変えて、異なる絶対座標空間の値を取得させることができる。
【００１２】
請求項４の発明は、特殊な配置のドットが印刷された透明な印刷媒体、または、半透明な印刷媒体と、ドットを読み取る電子ペンと、を用いたＤＴＰ校正方法であって、ドットを読み取った結果を含む電子ペンデータをと、座標値を対応付けた対応表と、編集原稿識別情報を含んだ編集データと、を用いたＤＴＰ校正方法であって、電子ペンが保持するドットを読み取った結果を取得して、前記対応表を参照して、これに対応する座標値を選択して、これを含む座標データを作成する座標データ作成ステップと、前記作成された座標データから、校正情報画像を生成して、保持する校正情報画像生成ステップと、編集原稿識別情報の入力を受け付ける編集原稿識別情報入力ステップと、編集データの編集原稿識別情報を参照して、前記入力を受け付けた編集原稿識別情報と一致する編集原稿識別情報の編集データを取得して、編集画像を生成して、保持する編集画像生成ステップと、前記保持された校正情報画像と編集画像を表示する編集画面表示ステップと、を含んだ手順でなされることを特徴とする校正方法である。
【００１３】
請求項５の発明は、前記電子ペンは、電子ペン識別情報とドットを読み取った結果とを含む電子ペンデータを保持する、ＤＴＰ校正方法であって、前記座標データ作成ステップは、対応表を参照して、前記ドットを読み取った結果を取得して、これに対応する座標値を選択して、これと電子ペン識別情報とを含む座標データを作成して、前記校正情報画像生成ステップは、前記入力を受け付けた電子ペン識別情報と一致する電子ペン識別情報を持つ絶対座標値列を取得して、校正情報画像を生成して、保持する、ことを特徴として、電子ペン識別情報の入力を受け付ける電子ペン識別情報入力ステップ、を含んだ手順でなされることを特徴とする請求項４に記載の校正方法である。
【００１４】
請求項６の発明は、前記電子ペンは、認証情報とドットを読み取った結果とを含む電子ペンデータを保持する、ＤＴＰ校正方法であって、前記座標データ作成ステップは、前記選択された対応表を参照して、前記ドットを読み取った結果を取得して、これに対応する座標値を選択して、これを含む座標データを作成する、ことを特徴として、前記保持された認証情報を取得して、前記認証データを参照して、認証する電子ペンデータ認証ステップと、前記認証データを参照して、前記保持された認証情報に対応付けされた対応表を選択する対応表選択ステップと、を含んだ手順でなされることを特徴とする請求項４、または、請求項５に記載の校正方法である。
【００１５】
請求項７の発明は、電子ペンと、座標サーバ装置と、編集装置と、がネットワーク接続されて、構成される校正システムであって、前記電子ペンは、特殊な配置のドットの配置形状を符号化したペン先位置コードのコード列を含む電子ペンデータを記憶する記憶手段と、ドットを撮像してドット画像データを所定のメモリに記録するドット撮像手段と、所定のメモリに記録されているドット画像データを取得して、ペン先位置コードと認証情報を作成して保持するドット符号化手段と、前記保持されたペン先位置コードを取得して、電子ペンデータを作成する電子ペンデータ作成手段と、電子ペンデータを送信する電子ペンデータ送信手段と、を備える電子ペンであって、前記座標サーバ装置は、対応表を特定する情報と、絶対座標値を対応付けたペン先位置コードと、を含む対応表と、電子ペン識別情報を対応付けた絶対座標値列を含む座標データと、を記憶する記憶手段と、電子ペンデータを受信する電子ペンデータ受信手段と、前記受信した電子ペンデータのペン先位置コード列のペン先位置コードを取得して、前記対応表を参照して、これに対応する絶対座標値を取得して、保持する座標値取得手段と、前記保持された絶対座標値を取得して、これを含む座標データを作成する座標データ作成手段と、前記座標データを送信する座標データ送信手段と、を備えたサーバ装置であって、前記編集装置は、編集原稿識別情報を含んだ編集データを記憶する記憶手段と、座標データを受信する座標データ受信手段と、前記受信した座標データの絶対座標値列を取得して、校正情報画像を生成して、保持する校正情報画像生成手段と、編集原稿識別情報の入力を受け付ける編集原稿識別情報入力手段と、前記入力を受け付けた編集原稿識別情報をキーにして、編集データの編集原稿識別情報を参照して、前記キーと一致する編集原稿識別情報の編集データを取得して、編集画像を生成して、保持する編集画像生成手段と、前記保持された校正情報画像と編集画像を表示する編集画面表示手段と、を備える編集装置である、ことを特徴とする校正システムである。
【００１６】
請求項８の発明は、前記電子ペンは、前記記憶手段が、特殊な配置のドットの配置形状を符号化したペン先位置コードのコード列と電子ペン識別情報を含む電子ペンデータを記憶する、ことを特徴するペンであって、前記電子ペンデータ作成手段が、前記保持されたペン先位置コードと電子ペン識別情報とを取得して、ペン先位置コード列と認証情報を含む電子ペンデータを作成する、ことを特徴とする電子ペンであって、前記座標サーバ装置は、前記記憶手段が、ペン先位置コードと絶対座標値とを対応付けた対応表と、電子ペン識別情報を対応付けた絶対座標値列を含む座標データと、を記憶して、座標データ作成手段が、保持された絶対座標値を取得して、前記受信した電子ペンデータの電子ペン識別情報を対応付けた絶対座標値列を含む座標データを作成する、ことを特徴とするサーバ装置であって、前記編集装置は、校正情報画像生成手段が、前記入力を受け付けた電子ペン識別情報をキーにして、前記受信した座標データの電子ペン識別情報を参照して、前記キーと一致する電子ペン識別情報に対応付けられた絶対座標値列を取得して、校正情報画像を生成して、保持する、ことを特徴として、電子ペン識別情報の入力を受け付ける電子ペン識別情報入力手段、を備える編集装置である、ことを特徴とする請求項７に記載の校正システム
である。
【００１７】
請求項９の発明は、前記電子ペンは、記憶手段が、特殊な配置のドットの配置形状を符号化したペン先位置コードのコード列と認証情報とを含む電子ペンデータを記憶して、前記電子ペンデータ作成手段が、前記保持されたペン先位置コードと認証情報とを取得して、認証情報とペン先位置コード列とを含む電子ペンデータを作成することを特徴とする電子ペンであって、前記座標サーバ装置は、前記記憶手段が、認証情報と対応表を特定する情報とを対応付けた認証データと、対応表を特定する情報と、絶対座標値を対応付けたペン先位置コードと、を含む対応表と、電子ペン識別情報を対応付けた絶対座標値列を含む座標データと、を記憶して、前記座標値取得手段が、前記受信した電子ペンデータのペン先位置コード列のペン先位置コードを取得して、前記選択された対応表を参照して、これに対応する絶対座標値を取得して、保持する、ことを特徴として、前記受信した電子ペンデータの認証情報を取得して、前記認証データを参照して、認証する電子ペンデータ認証手段と、前記認証データを参照して、前記受信した電子ペンデータの認証情報に関連付けされた対応表を特定する情報を取得して、前記記憶された対応表から対応表を選択する対応表選択手段と、を備えたサーバ装置である、ことを特徴とする請求項７、または、請求項８に記載の校正システムである。
【００１８】
請求項１０の発明は、電子ペンと、中継端末装置と、認証サーバ装置と、座標サーバ装置と、編集装置と、がネットワークデータ接続されて、構成される校正システムであって、特殊な配置のドットの配置形状を符号化したペン先位置コードのコード列と認証情報とを含む電子ペンデータと、を記憶する記憶手段と、ドットを撮像してドット画像データを所定のメモリに記録するドット撮像手段と、所定のメモリに記録されているドット画像データを取得して、ペン先位置コードと認証情報を作成して保持するドット符号化手段と、前記保持されたペン先位置コードと認証情報とを取得して、前記取得したペン先位置コードからコード列を生成して、これらから電子ペンデータを作成する電子ペンデータ作成手段と、電子ペンデータを送信する電子ペンデータ送信手段と、を備える電子ペンであって、前記中継端末装置は、電子ペンデータを受信して、認証情報を送信する認証情報送信手段と、対応表を特定する情報を受信する対応表特定情報受信手段と、対応表を特定する情報を用いて、電子ペンデータを送信する電子ペンデータ転送手段と、を備える端末装置であって、前記認証サーバ装置は、認証情報と対応表を特定する情報とを関連付けた認証データ、を記憶する記憶手段と、認証情報を受信する認証情報受信手段と、前記受信した認証情報を取得して、前記認証データを参照して、認証する電子ペンデータ認証手段と、前記認証データを参照して、前記受信した認証情報に関連付けされた対応表を特定する情報を取得する対応表特定情報取得手段と、対応表を特定する情報を送信する対応表特定情報送信手段と、を備えるサーバ装置であって、前記座標サーバ装置は、対応表を特定する情報と、絶対座標値を対応付けたペン先位置コードと、を含む対応表と、電子ペン識別情報を対応付けた絶対座標値列を含む座標データと、を記憶する記憶手段と、対応表を特定する情報と電子ペンデータを受信する電子ペンデータ受信手段と、前記対応表を参照して、前記受信した対応表を特定する情報に一致する対応表を特定する情報を持つ対応表を選択する対応表選択手段と、前記受信した電子ペンデータのペン先位置コード列のペン先位置コードを取得して、前記選択された対応表を参照して、これに対応する絶対座標値を取得して、保持する座標値取得手段と、前記保持された絶対座標値を取得して、前記受信した電子ペンデータの電子ペン識別情報を対応付けた絶対座標値列を含んだ座標データを作成する座標データ作成手段と、前記座標データを送信する座標データ送信手段と、を備えたサーバ装置であって、前記編集装置は、編集原稿識別情報を含んだ編集データを記憶する記憶手段と、座標データを受信する座標データ受信手段と、前記受信した座標データの絶対座標値列を取得して、校正情報画像を生成して、保持する校正情報画像生成手段と、編集原稿識別情報の入力を受け付ける編集原稿識別情報入力手段と、前記入力を受け付けた編集原稿識別情報をキーにして、編集データの編集原稿識別情報を参照して、前記キーと一致する編集原稿識別情報の編集データを取得して、編集画像を生成して、保持する編集画像生成手段と、前記保持された校正情報画像と編集画像を表示する編集画面表示手段と、を備える編集装置である、ことを特徴とする校正システムである。
【００１９】
請求項１１の発明は、前記電子ペンは、前記記憶手段が、特殊な配置のドットの配置形状を符号化したペン先位置コードのコード列と認証情報と電子ペン識別情報を含む電子ペンデータと、を記憶して、前記電子ペンデータ作成手段が、前記保持されたペン先位置コードからコード列を生成して、これと、認証情報と電子ペン識別情報を含む電子ペンデータを作成する、ことを特徴とする電子ペンであって、前記座標サーバ装置は、前記座標データ送信手段が、保持された絶対座標値を取得して、受信した電子ペンデータの電子ペン識別情報を対応付けた絶対座標値列を含んだ座標データを作成する、ことを特徴とするサーバ装置であって、前記編集装置は、電子ペン識別情報の入力を受け付ける電子ペン識別情報入力手段と、前記校正情報画像生成手段が、前記入力を受け付けた電子ペン識別情報をキーにして、受信した座標データの電子ペン識別情報を参照して、前記キーと一致する電子ペン識別情報に対応付けられた絶対座標値列を取得して、校正情報画像を生成して、保持する、ことを特徴とする編集装置である、ことを特徴とする請求項１０に記載の校正システムである。
【００２０】
請求項１２の発明は、特殊な配置のドットが印刷された透明な印刷媒体、または、半透明な印刷媒体と、ドットを撮像して、電子ペンデータを生成する電子ペンと、を用いる校正方法であって、特殊な配置のドットの配置形状を符号化したペン先位置コードのコード列を含む電子ペンデータと、認証情報と対応表を特定する情報とを対応付けた認証データと、対応表を特定する情報と、絶対座標値を対応付けたペン先位置コードと、を含む対応表と、電子ペン識別情報を対応付けた絶対座標値列を含む座標データと、編集原稿識別情報を含んだ編集データと、を用いて、編集データを修正するための校正方法であって、電子ペンデータを受信する電子ペンデータ受信ステップと、前記受信した電子ペンデータのペン先位置コード列のペン先位置コードを取得して、前記対応表を参照して、これに対応する絶対座標値を取得して、保持する座標値取得ステップと、前記保持された絶対座標値を取得して、絶対座標値列を含む座標データを作成する座標データ作成ステップと、前記作成された座標データの絶対座標値列を取得して、校正情報画像を生成して、保持する校正情報画像生成ステップと、編集原稿識別情報の入力を受け付ける編集原稿識別情報入力ステップと、前記入力を受け付けた編集原稿識別情報をキーにして、編集データの編集原稿識別情報を参照して、前記キーと一致する編集原稿識別情報の編集データを取得して、編集画像を生成して、保持する編集画像生成ステップと、前記保持された校正情報画像と編集画像を表示する編集画面表示ステップと、を含んだ手順でなされることを特徴とする校正方法である。
【００２１】
請求項１３の発明は、前記電子ペンデータが、特殊な配置のドットの配置形状を符号化したペン先位置コードのコード列と電子ペン識別情報を含んで、電子ペン識別情報を対応付けた絶対座標値列を含む座標データ、を用いて、編集データを修正するための校正方法であって、前記座標データ作成ステップは、保持された絶対座標値を取得して、受信した電子ペンデータの電子ペン識別情報を対応付けた絶対座標値列を含む座標データを作成して、前記校正情報画像生成ステップは、前記入力を受け付けた電子ペン識別情報をキーにして、前記作成された座標データの電子ペン識別情報を参照して、前記キーと一致する電子ペン識別情報に対応付けられた絶対座標値列を取得して、校正情報画像を生成して、保持する、ことを特徴として、電子ペン識別情報の入力を受け付ける電子ペン識別情報入力ステップ、を含んだ手順でなされることを特徴とする請求項１２に記載の校正方法である。
【００２２】
請求項１４の発明は、前記電子ペンデータは、特殊な配置のドットの配置形状を符号化したペン先位置コードのコード列と認証情報とを含んで、認証情報と対応表を特定する情報とを対応付けた認証データ、を用いて、編集データを修正するための校正方法であって、前記座標値取得ステップは、前記受信した電子ペンデータのペン先位置コード列のペン先位置コードを取得して、前記選択された対応表を参照して、これに対応する絶対座標値を取得して、保持する、ことを特徴として、前記受信した電子ペンデータの認証情報を取得して、前記認証データを参照して、認証する電子ペンデータ認証ステップと、前記認証データを参照して、前記受信した認証情報に関連付けされた対応表を特定する情報を取得して、前記記憶された対応表から対応表を選択する対応表選択ステップと、を含んだ手順でなされることを特徴とする校正方法である。
【００２３】
請求項１５の発明は、コンピュータに組込むことによって、コンピュータを、請求項１から、請求項３に記載のＤＴＰ校正システム、あるいは、請求項７から、請求項１１に記載の校正システム、として動作させるコンピュータプログラムである。
【００２４】
請求項１６の発明は、請求項１５に記載のコンピュータプログラムを記録したコンピュータ読取り可能な記録媒体である。
【発明の効果】
【００２５】
本願発明によれば、校正者は、印刷編集者に、校正情報を、瞬時に渡すことができるので、公正作業に、十分作業時間を投入することが可能となる。他方、印刷編集者は、作成された校正情報を瞬時に入手することができるので、直ちに、印刷編集データ修正作業に着手することができる。また、印刷編集者は、各校正者の校正情報を区別できるので、的確な印刷編集データ修正作業を行うことが可能になる。
【発明を実施するための最良の形態】
【００２６】
（実施例）
以下、図面等を参照しながら、本発明の実施の形態について、更に詳しく説明する。図１は、校正システム１の全体構成を説明する図である。校正システム１は、電子ペン１００が接続（有線接続、または、無線接続）された中継端末装置３００と、座標サーバ装置５００と、編集装置７００と、がネットワーク接続されて、構成される。
【００２７】
電子ペン１００は、電子ペンデータ１９９を備える。
【００２８】
ここで、電子ペン１００は、識別情報（たとえば、ペンＩＤ）を持つ。また、電子ペンデータ１９９とは、電子ペンが校正記入用紙９９５に校正情報記入したときのペン先の軌跡を記述したペン先位置コード１９７のペン先位置コード列と、認証情報（たとえば、認証ＩＤ）と、を含むデータである。
【００２９】
中継端末装置３００は、電子ペンデータ１９９を備える。
【００３０】
座標サーバ装置５００は、対応表５９１と、電子ペンデータを認証する認証データ５９３と、座標データ５９９と、を備える。ここで、対応表５９１とは、ペン先位置コードと座標情報との対応表で、認証情報に関連付けられている。
【００３１】
編集装置７００は、文字や画像を組版する編集データ７９１と、座標データ５９９と、校正紙９９１と、を備える。
【００３２】
なお、校正者９００は、電子ペン１００を用いて、校正紙９９１に重ねた校正記入用紙９９５に校正情報を記入する。
【００３３】
この校正記入用紙９９５は、特殊な配置のドット（たとえば、アノト（登録商標）式ドット。詳細は後述する。）が印刷された透明な用紙、または、半透明な用紙である。このドットはカーボンを含む専用インキで印刷されており、電子ペン１００はこの専用インキによるドットのみを認識して、ペン先位置コードを生成する。電子ペン１００のインキは、カーボンを含まないので、校正記入用紙９９５に記入した校正情報をドットとして認識することはない。
【００３４】
図２は、校正システム１の大まかな処理の流れを説明する図である。
【００３５】
校正者９００は、それぞれが、異なるペンＩＤを持つ電子ペン１００を用いて、特殊な配置のドットが印刷された校正記入紙９９５に、校正情報を記入する（図２（ア））。
【００３６】
電子ペン１００は、電子ペン内蔵のカメラが、電子ペン１００の動きに合わせて、ペン先近傍の校正記入紙９９５のドットを撮像して、ドット画像データを内蔵メモリに記録する（同（カ））。電子ペン１００は、内蔵メモリに記録されたドット画像データを順次に読み出して、ドット配置位置を符号化して、ペン先位置コードを作成する（同（））。（ク）電子ペン１００は、ペン先位置コードとペンＩＤと認証情報を含む電子ペンデータ１９９を作成して、送信する（同（キ））。
【００３７】
中継端末装置３００は、電子ペンデータ１９９を受信して、座標サーバ装置５００に、中継する（同（サ））。
【００３８】
座標サーバ装置５００は、電子ペンデータ１００を受信して、電子ペンデータの認証情報を認証する（同（タ））。座標サーバ装置５００は、認証情報に対応する対応表５９１を参照して、ペン先位置コードの絶対座標値を取得する（同（チ））。座標サーバ装置５００は、電子ペンデータのペンＩＤと絶対座標値を対応付けた座標データ５９９を作成して送信する（同（ツ））。
【００３９】
編集装置７００は、座標データ５９９を受信する（同（ナ））。編集装置７００は、ペンＩＤの入力を受け付けて、これに対応する絶対座標値を座標データ５９９から選択して、校正情報画像を生成して、編集画面７００ａに表示する（同（ニ））。ここで、ペンＩＤ毎に、校正情報画像の色を変えてもよい。
【００４０】
編集装置７００は、原稿ＩＤの入力を受け付けて、対応する編集データ７９１を取得して、編集画像を生成して、校正情報画像に重ねて、編集画面７００ａに表示する（同（ヌ））。編集装置７００は、修正データの入力を受け付けて、編集データ７９１を修正する（同（ネ））。
【００４１】
編集装置７００は、修正した編集データ７９１から新しい校正紙９９１を作成する（同（ノ））。
【００４２】
校正者９００は、新しい校正紙９９１と、校正情報と比較して、修正結果を確認する（同（ハ））。
【００４３】
図３は、校正システム１の詳細な構成図である。校正システム１は、電子ペン１００と、中継端末装置３００と、座標サーバ装置５００と、編集装置７００と、がネットワークデータ接続されて、構成される。
【００４４】
前記電子ペン１００は、ドット撮像手段１１０と、ドット符号化手段１２０と、電子ペンデータ作成手段１３０と、電子ペンデータ送信手段１７０と、記憶手段１９０と、を備える。記憶手段１９０は、ペン先位置コード１９７と、電子ペンデータ１９９と、記憶する。
【００４５】
ペン先位置コード１９７は、特殊な配置のドットの配置形状を符号化したデータである。電子ペンデータ１９９は、ペン先位置コード１９７のコード列と認証情報と電子ペン識別情報を含むデータである。
【００４６】
ドット撮像手段１１０は、ドットを撮像してドット画像データを所定のメモリに記録する。ドット符号化手段１２０は、所定のメモリに記録されているドット画像データを取得して、ペン先位置コードと認証情報（たとえば、認証ＩＤ）を作成して保持する。
【００４７】
電子ペンデータ作成手段１３０は、前記保持されたペン先位置コード１９７と認証情報（たとえば、認証ＩＤ）とを取得して、前記取得したペン先位置コード１９７からペン先位置コード列を生成して、このペン先位置コード列と認証情報とから電子ペンデータを作成する。電子ペンデータ送信手段１７０は、電子ペンデータを送信する。
【００４８】
前記中継端末装置３００は、電子ペンデータ転送手段３７０を備える。
【００４９】
電子ペンデータ転送手段３７０は、電子ペンデータを受信して、これを転送する。
【００５０】
前記座標サーバ装置５００は、電子ペンデータ受信手段５８０と、電子ペンデータ認証手段５１０と、座標値取得手段５３０と、座標データ作成手段５４０と、座標データ送信手段５７０と、記憶手段５９０と、を備える。記憶手段５９０は、認証データ５９３と、対応表５９１と、座標データ５９９と、を記憶する。
【００５１】
認証データ５９３は、認証情報と対応表を特定する情報とを対応付けたデータである。対応表５９１は、対応表を特定する情報と、絶対座標値を対応付けたペン先位置コードと、を含むデータである。座標データ５９９は、電子ペン識別情報を対応付けた絶対座標値列を含むである。
【００５２】
電子ペンデータ受信手段５８０は、電子ペンデータを受信する。電子ペンデータ認証手段５１０は、前記受信した電子ペンデータに含まれる認証情報を取得して、前記認証データを参照して、認証する。
【００５３】
対応表選択手段５２０は、前記認証データを参照して、前記受信した電子ペンデータの認証情報に関連付けされた対応表を特定する情報を取得して、前記記憶された対応表から対応表を選択する。座標値取得手段５３０は、前記受信した電子ペンデータのペン先位置コード列のペン先位置コードを取得して、前記選択された対応表を参照して、これに対応する絶対座標値を取得して、保持する。座標データ作成手段５４０は、前記保持された絶対座標値を取得して、前記受信した電子ペンデータの電子ペン識別情報を対応付けた絶対座標値列を含む座標データを作成する。
【００５４】
座標データ送信手段５７０は、前記座標データを送信する。
【００５５】
前記編集装置７００は、座標データ受信手段７８０と、電子ペン識別情報入力手段７１０と、校正情報画像生成手段７２０と、編集画像生成手段７４０と、編集画面表示手段７５０と、記憶手段７９０と、を備える。記憶手段７９０は、編集データ７９１と、座標データ５９９と、を記憶する。
【００５６】
編集データ７９１は、編集原稿識別情報を含んだデータである。
【００５７】
座標データ受信手段７８０は、座標データを受信する。
【００５８】
電子ペン識別情報入力手段７１０は、電子ペン識別情報の入力を受け付ける。校正情報画像生成手段７２０は、前記入力を受け付けた電子ペン識別情報をキーにして、前記受信した座標データの電子ペン識別情報を参照して、前記キーと一致する電子ペン識別情報に対応付けられた絶対座標値列を取得して、これを用いて、校正情報画像を生成して、保持する。
【００５９】
電子ペン編集原稿識別情報入力手段７３０は、編集原稿識別情報の入力を受け付ける。編集画像生成手段７４０は、前記入力を受け付けた編集原稿識別情報をキーにして、編集データの編集原稿識別情報を参照して、前記キーと一致する編集原稿識別情報の編集データを取得して、これを用いて、編集画像を生成して、保持する。
【００６０】
編集画面表示手段７５０は、前記保持された校正情報画像と編集画像を表示する。
【００６１】
ドット撮像手段１１０は、電子デバイスである。ドット符号化手段１２０と、電子ペンデータ作成手段１３０と、電子ペンデータ送信手段１７０と、子ペンデータ転送手段３７０と、電子ペンデータ受信手段５８０と、電子ペンデータ認証手段５１０と、座標値取得手段５３０と、座標データ作成手段５４０と、座標データ送信手段５７０と、座標データ受信手段７８０と、電子ペン識別情報入力手段７１０と、校正情報画像生成手段７２０と、編集画像生成手段７４０と、編集画面表示手段７５０と、は、コンピュータプログラムである。ペン先位置コード１９７と、電子ペン編集データ７９１と、データ１９９と、認証データ５９３と、対応表５９１と、座標データ５９９と、は、コンピュータプログラムが可読なデータである。記憶手段１９０と、記憶手段５９０と、記憶手段７９０と、は、メモリである。
【００６２】
図４は、電子ペンデータ１９９の形式を説明する図である。電子ペンデータ１９９は、管理データ１９９ａと、ストロークデータ１９９ｂと、から構成される。管理データ１９９ａは、電子ペンデータの管理情報（たとえば、ペンＩＤ、時刻情報）を記述する。ストロークデータ１９９ｂは、ペン先位置コード列１９９ｃと認証情報１９９ｄ（たとえば、認証ＩＤ）を記述する。
【００６３】
なお、ペン先位置コード列１９９ｃとは、ペン先が動いた校正記入用紙９９５に触れて記入している軌跡にそって、サンプリングしたドットのペン先位置コードの羅列（コード列）である。このとき、ペン先が校正記入用紙９９５に触れて記入していることは、筆圧検知や静電容量検知などにより行う。
【００６４】
図５は、認証データ５９３の形式を説明する図である。認証データ５９３は、認証情報１９９ｄ（たとえば、認証ＩＤ）と対応表を特定する情報５９１ａとを関連付けたデータである。
【００６５】
図６は、対応表５９１の形式を説明する図である。対応表５９１は、対応表を特定する情報５９１ａと、絶対座標値とを対応付けた表形式のデータである。
【００６６】
図７から図８は、校正記入用紙９９５の説明図である。図７には、原稿ＩＤ欄、送信欄、校正担当者名記入欄などが設けられている校正記入用紙９９５が、例示されている。この校正記入用紙の記入領域には、特殊な配置をしたドットが印刷されている。このドットは、所定の領域（たとえば、０．３３ｍｍ四方に２×２ドットを配置した領域）内でのドット配置が、常に、ユニークであるように、配置されている。
【００６７】
このとき、送信欄に印刷されているドットの配置は、送信欄を特定するドット配置となっている。
【００６８】
図８は、ドットの配置方法の説明図である。ドットは、等間隔に配置されているドット配置基準線９９５ａの４箇所の配置位置の、いずれかに、配置される。この４箇所の配置位置は、ドット配置符号の値（それぞれ、０，１，２，３）に対応付けられる。
【００６９】
図９は、校正記入用紙の位置合わせの説明図である。文字や画像が印刷された校正紙の上に、校正記入用紙を重ねるときには、校正紙のトンボマークの位置に合わせて、位置合わせ線を記入する。校正紙の上に校正記入用紙を重ねて、トンボマークの位置に、位置合わせ線を記入する。なお、この位置合わせ線は、編集画像と校正情報画像とを重ねて、編集画面７００ａに表示する時の目安に用いる。
【００７０】
図１０は、校正記入用紙の記入例である。図１０には、校正の指示と、校正担当者名と、原稿ＩＤ記入欄と、が記入されている校正記入用紙が、例示されている。
【００７１】
図１１と図１２は、校正情報画像の作成手順の説明図である。図１１は、電子ペンによるペン先位置コード列１９９ｃの作成手順の説明図である。
【００７２】
電子ペン１００のドット撮像手段１１０は、ペン先１００ａの周囲（たとえば、０．３３ｍｍ四方）の４つのドットを撮像して、メモリ１００ｂに記録する（図１１（１））。
【００７３】
ドット符号化手段１２０は、メモリ１００ｂのドットにドット配置基準線９９５ａを当てる（同（２））。ドット符号化手段１２０は、ドット配置基準線９９５ａに対するドット位置を検出して、ドット位置に対応するドット配置符号の値を取得して、電子ペン１００のペン先位置コード１９９ｃ＝「２１３０」を作成する（同（（３））。
【００７４】
電子ペン１００は、ペン先が用紙に置かれてから、離されるまで、ペン先の軌跡にそって、サンプリングされたドットのペン先位置コード列１９９ｃを作成する（同（（４））。
【００７５】
図１２は、ペン先位置コード列１９９ｃから校正情報画像を作成する手順の説明図である。
電子ペン１００は、ペン先の動きにそったペン先位置コード列１９９ｃを作成する（図１１の（（４）と同じ。）（図１２（１））。電子ペン１００は、ペン先位置コード１９７が「送信」を意味するコードであったら、ペン先位置コード列１９９ｃと認証情報１９９ｄとを含む電子ペンデータ１９９を作成して送信する（同（２））。
【００７６】
座標サーバ装置５００は、中継端末装置３００を経由して、電子ペンデータ１９９を受信して、これに含まれる認証情報１９９ｄを取得して、これに対応した対応表５９１を選択する（同（（３））。座標サーバ装置５００は、選択した対応表５９１参照して、電子ペンデータのペン先位置コード列１９９ｃを、絶対座標値列に変換して、送信する（同（（４））。
【００７７】
編集装置７００は、絶対座標値列を受信して、これから、線画像を生成して、絶対座標空間の校正情報画像を作成する（同（（５））。ここで、絶対座標値列とは、１つの線画像の開始点から終了点までの連続点の座標値である。
【００７８】
図１３は、校正情報画像と編集画像とを重ねた編集画面の例である。編集者は、入力指定したペンＩＤにて選択した電子ペンデータ１９９から生成した校正情報画像のトンボマークと、入力指定した原稿ＩＤにて選択した編集データ７９１から生成した編集画像のトンボマークと、を目視で位置合わせして、両画像を重ね合わせ操作する。このことにより、編集者は、各校正者の校正指示を、正確に理解することができる。
【００７９】
なお、校正情報画像のトンボマークを画像認識させて、編集データ画像のトンボマークに位置合わせしてもよい。
【００８０】
また、原稿ＩＤは、校正情報画像の原稿ＩＤ画像を画像認識させて、原稿ＩＤデータを生成させて、所定の編集データを取得して、編集画像を生成してもよい。
【００８１】
なお、各校正者の校正指示を区別する必要がない場合は、電子ペン１００のペンＩＤを入力しなくてもよい。また、対応表を区別する必要がない場合は、認証情報を使用する必要はない。
【００８２】
なお、０．３３ｍｍ四方に２×２ドットが配置された所定領域のドットを、コード化する例で説明したが、これに、限定する必要はない。たとえば、一般的には、２ｍｍ四方の領域に６×６ドットが配置された所定領域のドットを、コード化する。
【００８３】
次に、変形例を説明する。
（変形例１）
まず、座標サーバ装置と認証サーバ装置とに分かれた校正システムについて説明する。図１４は、認証サーバ装置が独立する校正システム２の全体構成を説明する図である。
校正システム２は、電子ペン１００が接続（有線接続、または、無線接続）された中継端
【００８４】
末装置３００と、座標サーバ装置５００と、認証サーバ装置６００と、編集装置７００と、がネットワーク接続されて、構成される。
【００８５】
前記中継端末装置３００は、認証情報送信手段３８０と、対応表特定情報受信手段３７５と、電子ペンデータ転送手段３７０と、を備える。
【００８６】
認証情報送信手段３８０は、電子ペンデータを受信して、認証情報（たとえば、認証ＩＤ）を送信する。
【００８７】
対応表特定情報受信手段３７５は、対応表を特定する情報（たとえば、ＵＲＬ）を受信する。電子ペンデータ転送手段３７０は、対応表を特定する情報（たとえば、ＵＲＬ）を用いて、電子ペンデータを送信する。
【００８８】
前記認証サーバ装置６００は、認証情報受信手段６７０と、電子ペンデータ認証手段６１０と、対応表特定情報取得手段６２０と、対応表特定情報送信手段６８０と、記憶手段６９０と、を備える。記憶手段６９０は、認証データ５９３を記憶する。
【００８９】
認証データ５９３は、図３の認証データ５９３と同じである。
【００９０】
認証情報受信手段６７０は、認証情報を受信する。電子ペンデータ認証手段６１０は、前記受信した認証情報を取得して、前記認証データを参照して、認証する。
【００９１】
対応表特定情報取得手段６２０は、前記認証データを参照して、前記受信した認証情報に関連付けされた対応表を特定する情報を取得する。対応表特定情報送信手段６８０は、対応表を特定する情報を送信する。
【００９２】
前記座標サーバ装置５００は、電子ペンデータ受信手段５７０と、対応表選択手段５２０と、座標値取得手段５３０と、座標データ作成手段５４０と、座標データ送信手段５８０と、記憶手段５９０と、を備える。記憶手段５９０は、座標データ５９９と、対応表５９１と、を記憶する。
【００９３】
座標データ５９９と、対応表５９１と、は、図３の座標データ５９９と、対応表５９１と、同じである。
【００９４】
対応表選択手段５２０は、前記対応表を参照して、前記受信した対応表を特定する情報に一致する対応表を特定する情報を持つ対応表を選択する。
【００９５】
電子ペンデータ受信手段５７０と、座標値取得手段５３０と、座標データ作成手段５４０と、座標データ送信手段５８０と、の機能は、図３のそれぞれの手段と同じである。
【００９６】
電子ペンデータ受信手段５７０と、対応表選択手段５２０と、座標値取得手段５３０と、座標データ作成手段５４０と、座標データ送信手段５８０と、認証情報受信手段６７０と、電子ペンデータ認証手段６１０と、対応表特定情報取得手段６２０と、対応表特定情報送信手段６８０と、は、コンピュータプログラムである。座標データ５９９と、対応表５９１と、認証データ５９３と、は、コンピュータプログラムが可読なデータである。記憶手段６９０は、メモリである。
【００９７】
電子ペン１００の構成と、編集装置７００の構成と、は、図１と同じ構成である。
【００９８】
次に、中継端末装置を用いない校正システムについて説明する。
（変形例２）
図１５は、中継端末装置機能を含んだサーバ装置を有する校正システム３の全体構成を説明する図である。校正システム３は、電子ペン１００が接続（有線接続、または、無線接続）されたサーバ装置５００と、編集装置７００と、がネットワーク接続されて、構成される。
【００９９】
電子ペン１００の構成は、図３の構成と同じである。
【０１００】
サーバ装置５００の構成は、図３の構成と同じである。
【０１０１】
編集装置７００の構成は、図３の構成と同じである。
【０１０２】
次に、座標サーバ装置や認証サーバ装置とを用いない校正システムについて説明する。
（変形例３）
図１６は、単体型校正システム４の全体構成を説明する図である。
単体型校正システム４は、電子ペン１００と接続されている。
【０１０３】
電子ペン１００は、電子ペンデータ送信手段１７０と、記憶手段１９０と、を備える。記憶手段１９０は、電子ペンデータ１９９を記憶する。
【０１０４】
電子ペンデータ１９９は、ドットを読み取った結果（たとえば、ドット画像データ、ペン先位置コード列）と認証識別情報と電子ペン識別情報とを含むデータである。
【０１０５】
電子ペンデータ送信手段１７０は、図３の電子ペンデータ送信手段１７０と同じである。
【０１０６】
電子ペンデータ受信手段５８０と、電子ペンデータ認証手段５１０と、座標値取得手段５３０と、座標データ作成手段５４０と、電子ペン識別情報入力手段７１０と、校正情報画像生成手段７２０と、編集画像生成手段７４０と、編集画面表示手段７５０と、記憶手段７９０と、を備える。記憶手段７９０は、認証データ５９３と、対応表５９１と、座標データ５９９と、編集データ７９１と、を記憶する。
【０１０７】
認証データ５９３と、対応表５９１と、座標データ５９９と、編集データ７９１と、は、図３の認証データ５９３と、対応表５９１と、座標データ５９９と、同じである。
【０１０８】
電子ペンデータ受信手段５８０と、電子ペンデータ認証手段５１０と、座標値取得手段５３０と、座標データ作成手段５４０と、は、図３の電子ペンデータ受信手段５８０と、電子ペンデータ認証手段５１０と、座標値取得手段５３０と、座標データ作成手段５４０と、同じである。電子ペン識別情報入力手段７１０と、校正情報画像生成手段７２０と、編集画像生成手段７４０と、編集画面表示手段７５０と、記憶手段７９０と、は、図３の電子ペン識別情報入力手段７１０と、校正情報画像生成手段７２０と、編集画像生成手段７４０と、編集画面表示手段７５０と、記憶手段７９０と、同じである。
【０１０９】
以上詳しく説明したように、本願発明によれば、校正者は、印刷編集者に、校正情報を、瞬時に渡すことができるので、公正作業に、十分作業時間を投入することが可能となった。他方、印刷編集者は、作成された校正情報を瞬時に入手することができるので、直ちに、印刷編集データ修正作業に着手することができた。また、印刷編集者は、各校正者の校正情報を区別できるので、的確な印刷編集データ修正作業を行うことが可能になった。
【図面の簡単な説明】
【０１１０】
【図１】校正システムの全体構成
【図２】校正システム１の大まかな処理の流れ
【図３】校正システム１の詳細な構成図
【図４】電子ペンデータの形式
【図５】認証データの形式
【図６】対応表の形式
【図７】校正記入用紙の例
【図８】ドットの配置方法
【図９】校正記入用紙の位置あわせ
【図１０】校正記入用紙の記入例
【図１１】電子ペンデータの作成手順
【図１２】データ作成手順（続き）
【図１３】編集画面の例
【図１４】（変形例１）座標サーバ装置と認証サーバ装置を有する校正システム２の詳細な構成図
【図１５】（変形例２）中継端末装置機能を含んだサーバ装置を有する校正システム３の詳細な構成図
【図１６】（変形例２）単体型校正システム４の詳細な構成図
【符号の説明】
【０１１１】
１  校正システム
２  認証サーバ装置が独立する校正システム
３  サーバ装置を用いない校正システム
１００  電子ペン
１１０  ドット撮像手段
１２０  ドット符号化手段
１３０  電子ペンデータ作成手段
１７０電子ペンデータ送信手段
１９０  記憶手段
１９７  ペン先位置コード
１９９  電子ペンデータ
１９９ａ  管理データ
１９９ｂ  ストロークデータ
１９９ｃ  ペン先位置コード列
１９９ｄ  認証情報
３００  中継端末装置
３１０  電子ペンデータ認証手段
３２０  対応表選択手段
３３０  座標値取得手段
３４０  座標データ作成手段
３７５  対応表特定情報受信手段
３７０  電子ペンデータ転送手段
３８０  認証情報送信手段
３８５  座標データ送信手段
３９０  記憶手段
５００  座標サーバ装置
５１０  電子ペンデータ認証手段
５３０  座標値取得手段
５４０  座標データ作成手段
５７０  座標データ送信手段
５８０  電子ペンデータ受信手段
５９０  記憶手段
５９１  対応表
５９１ａ  対応表を特定する情報
５９３  認証データ
５９９  座標データ
６００  認証サーバ装置
６１０  電子ペンデータ認証手段
６２０  対応表特定情報取得手段
６７０  認証情報受信手段
６８０  対応表特定情報送信手段
６９０  記憶手段
７００  編集装置
７００ａ  編集画面
７１０  電子ペン識別情報入力手段
７２０  校正情報画像生成手段
７４０  編集画像生成手段
７５０  編集画面表示手段
７８０  座標データ受信手段
７９０  記憶手段
７９１  編集データ
９９１  校正紙
９９５  校正記入用紙
９９５ａ  ドット配置基準線
【図１】
2007249880.tif 000003
【図２】
2007249880.tif 000004
【図３】
2007249880.tif 000005
【図４】
2007249880.tif 000006
【図５】
2007249880.tif 000007
【図６】
2007249880.tif 000008
【図７】
2007249880.tif 000009
【図８】
2007249880.tif 000010
【図９】
2007249880.tif 000011
【図１０】
2007249880.tif 000012
【図１１】
2007249880.tif 000013
【図１２】
2007249880.tif 000014
【図１３】
2007249880.tif 000015
【図１４】
2007249880.tif 000016
【図１５】
2007249880.tif 000017
【図１６】
2007249880.tif 000018